(57)【要約】【課題】ふろ戻り管の途中に設けた切替弁に浴槽から吸い込んだ髪の毛等の異物が引っ掛かり難い風呂給湯器を提供する。【解決手段】ふろ戻り管４８の途中に介挿される第１切替弁８０は、第１接続口と第２接続口が連通しかつ第１接続口と第３接続口との連通が遮断された第１第２連通状態と、第１接続口と第３接続口が連通しかつ第１接続口と第２接続口との連通が遮断された第１第３連通状態と、第１接続口と第３接続口との連通および第１接続口と第２接続口との連通が遮断された全閉状態とに切り替え可能であって、第１接続口と第２接続口を繋ぐ経路は第１接続口と第３接続口を繋ぐ経路より髪の毛などの異物が引っ掛かり易い構造になっている。この第１切替弁８０をふろ戻り管の途中に、第３接続口を浴槽側、第１接続口を循環ポンプの吸引側に接続して介挿する。【選択図】図１
2019066144.tif 000002
【特許請求の範囲】
【請求項１】
風呂給湯器において、
第１接続口と第２接続口が連通しかつ第１接続口と第３接続口との連通が遮断された第１第２連通状態と、第１接続口と第３接続口が連通しかつ第１接続口と第２接続口との連通が遮断された第１第３連通状態と、前記第１接続口と第３接続口との連通および前記第１接続口と前記第２接続口との連通が遮断された全閉状態とに切り替え可能であって、前記第１接続口と前記第２接続口を繋ぐ経路は前記第１接続口と前記第３接続口を繋ぐ経路より髪の毛などの異物が引っ掛かり易い構造の第１切替弁を、風呂の追い焚き回路のうち浴槽水を浴槽から取り込むふろ戻り管の途中に、前記第３接続口を浴槽側、前記第１接続口を循環ポンプの吸引側に接続して介挿させた、
ことを特徴とする風呂給湯器。
【請求項２】
前記第１切替弁は、前記第１接続口と前記第３接続口を繋ぐ経路のうち前記第１接続口と前記第３接続口との連通を遮断する第１弁体より前記第１接続口側の所定箇所に前記経路の側方もしくは斜め側方に向けて開口し、湯張り時に湯の供給元に通じる注湯管が接続された第４接続口を有し、
湯張り時に前記第４接続口から流入した湯が乱流となって前記第１弁体へ向かうようにした、
ことを特徴とする請求項１に記載の風呂給湯器。
【請求項３】
前記注湯管は銅管であり、
前記第１接続口と前記第３接続口を繋ぐ経路の内側のうち、少なくとも前記第４接続口の正面になる部分は樹脂で形成されている
ことを特徴とする請求項２に記載の風呂給湯器。
【請求項４】
前記風呂の追い焚き回路のうち浴槽に湯水を送り出すふろ往き管の途中に湯水の行き先を前記浴槽と所定の排水先とに切り替える第２切替弁を設け、
風呂の追い焚き時および湯張り時は、前記第１切替弁を前記第１第３連通状態にしかつ前記第２切替弁を浴槽側に設定し、
ドレンタンクからドレンを排出するときは前記第１切替弁を第１第２連通状態にしかつ前記第２切替弁を排水先側に設定して前記循環ポンプを作動させ、
ドレンの排出後は、前記第１切替弁を全閉状態にし前記第２切替弁を排水先側に設定して前記注湯管から前記第４接続口に湯水を送り込んで前記風呂の追い焚き回路を洗浄する
ことを特徴とする請求項２または３に記載の風呂給湯器。
【請求項５】
前記第１切替弁は、
基端側がモータに接続されて回動可能な軸と、
前記軸の先端部に設けられた第１ストッパと、
前記第１ストッパから前記基端側へ所定距離を開けて前記軸に設けられた第２ストッパと、
前記第１ストッパと第２ストッパとの間の前記軸に挿通された第１弁体と、
前記第１弁体と前記第２ストッパの間の前記軸に挿通された第２弁体と、
前記第１弁体と第２弁体の間に設けられて前記第１弁体が前記第１ストッパに当接し前記第２弁体が前記第２ストッパに当接するように前記第１弁体と前記第２弁体を互いが離れるように付勢するバネと、
前記第２ストッパより前記基端側で前記軸を回動方向に応じて軸方向に進退するように保持する軸支部と、
前記第１弁体と前記第２弁体を内側に収納し、前記先端部側へ進出する第１弁体によって内側から閉鎖される第１開口と前記基端側へ後退する前記第２弁体によって内側から閉鎖される第２開口を、前記第１ストッパと前記第２ストッパとの間隔より狭い間隔で対向させて備える弁室と、
前記弁室に設けられた第３開口と、
前記第１開口から前記弁室の外側へ延設されて前記第１開口から進出する前記軸および前記第１ストッパを内包すると共に前記第３接続口に至る第３管路と、
前記第２開口から前記弁室の外側へ前記軸に沿って延設された管路であって前記軸支部を内側に保持し、前記軸支部より前記基端側へ延びる前記軸を貫通させて端部が封止され、側面に開設された開口が前記第２接続口に通じた本体管と、
前記第３開口から前記弁室の外側へ延設されて前記第１接続口に至る第１管路と、
を有し、
前記軸が所定の中間位置にあるとき前記第１弁体が前記第１開口を閉鎖しかつ前記第２弁体が前記第２開口を閉鎖して前記全閉状態となり、
前記軸が前記中間位置より前記先端部側へ進出したとき前記第２ストッパに押された前記第２弁体が前記第２開口から離れかつ前記第１弁体が前記第１開口を閉鎖して前記第１第２連通状態となり、
前記軸が前記中間位置より前記基端側へ後退したとき前記第１ストッパに押された前記第１弁体が前記第１開口から離れかつ前記第２弁体が前記第２開口を閉鎖して前記第１第３連通状態となる
ことを特徴とする請求項１乃至４のいずれか１つに記載の風呂給湯器。
【請求項６】
前記弁室の前記第２開口が形成された側の壁は、前記弁室の他の部分から分離可能な壁部材で構成され、
前記壁部材は、前記第２開口が形成されると共に、前記第１弁体と第２弁体を取り付け済みの前記軸を前記先端部側から前記本体管の中へ挿入した後に前記端部から前記本体管の中へ挿入され、管内の突起に突き当たって前記第１開口側への移動が規制され、その後、前記端部側から前記第２開口の周囲の複数箇所を、前記封止時に前記端部側への移動が阻止された爪部材に押圧されて固定される
ことを特徴とする請求項５に記載の風呂給湯器。
【発明の詳細な説明】
【技術分野】
【０００１】
本発明は、風呂の戻り管の途中に切替弁を備えた風呂給湯器に関する。
【背景技術】
【０００２】
一般に、風呂の追い焚きは、浴槽に設けられた浴槽水取込口から熱交換器の入口までのふろ戻り管、熱交換器内部の水管、熱交換器の出口から浴槽に設けられた浴槽水吐出口までのふろ往き管で構成される追い焚き回路に循環ポンプで浴槽水を循環させながら熱交換器をバーナで加熱等して行われる。循環ポンプは熱交換器の入口近くのふろ戻り管に設けられる。
【０００３】
追い焚きする際に浴槽内の髪の毛等が追い焚き回路内の機器に絡み付いて不具合が発生しないように、通常は、浴槽の浴槽水取込口にフィルタが設けられる。
【０００４】
しかし、細かい異物まで取り除こうとしてこのフィルタの目を細かくすると、このフィルタ自体が抵抗となって循環性能が低下するばかりか、フィルタが目詰まりし易くなり、しばらくフィルタ―の掃除を怠ると循環エラーが生じてしまうことがあった。
【０００５】
そのため、追い焚き回路に設ける切替弁においては、吸い込んだ髪の毛等で不具合が発生しないように、例えば、切替弁の弁体を１枚の金属板（金属板は髪の毛等が引っ掛かる凹凸がない）で構成し、その金属板を回動させることで流路を切り替える構造のものを採用する等の対策を講じていた。
【０００６】
下記特許文献１は、髪の毛の付着に依る流量計の故障を抑制する技術を開示する。
【先行技術文献】
【特許文献】
【０００７】
【特許文献１】特開平１０−００９９０７号公報
【発明の概要】
【発明が解決しようとする課題】
【０００８】
切替弁に対して特許文献１に開示の技術は適用できない。また、従来のように金属板を回動させる方式の切替弁では閉止性能が十分でなかった。
【０００９】
本発明は、上記のような問題点を解決するためになされたものであり、ふろ戻り管の途中に設けた切替弁に浴槽から吸い込んだ髪の毛等の異物がが引っ掛かり難い風呂給湯器を提供することを目的としている。
【課題を解決するための手段】
【００１０】
かかる目的を達成するための本発明の要旨とするところは、次の各項の発明に存する。
【００１１】
［１］風呂給湯器において、
第１接続口と第２接続口が連通しかつ第１接続口と第３接続口との連通が遮断された第１第２連通状態と、第１接続口と第３接続口が連通しかつ第１接続口と第２接続口との連通が遮断された第１第３連通状態と、前記第１接続口と第３接続口との連通および前記第１接続口と前記第２接続口との連通が遮断された全閉状態とに切り替え可能であって、前記第１接続口と前記第２接続口を繋ぐ経路は前記第１接続口と前記第３接続口を繋ぐ経路より髪の毛などの異物が引っ掛かり易い構造の第１切替弁を、風呂の追い焚き回路のうち浴槽水を浴槽から取り込むふろ戻り管の途中に、前記第３接続口を浴槽側、前記第１接続口を循環ポンプの吸引側に接続して介挿させた、
ことを特徴とする風呂給湯器。
【００１２】
上記発明では、ふろ戻り管の途中に第１切替弁を挿入する際に、浴槽からの戻り湯が、髪の毛などの異物の引っ掛かり難い側の経路を流れるようにした。
【００１３】
［２］前記第１切替弁は、前記第１接続口と前記第３接続口を繋ぐ経路のうち前記第１接続口と前記第３接続口との連通を遮断する第１弁体より前記第１接続口側の所定箇所に前記経路の側方もしくは斜め側方に向けて開口し、湯張り時に湯の供給元に通じる注湯管が接続された第４接続口を有し、
湯張り時に前記第４接続口から流入した湯が乱流となって前記第１弁体へ向かうようにした、
ことを特徴とする［１］に記載の風呂給湯器。
【００１４】
上記発明では、第４接続口を経路の側方もしくは斜め側方に向けて開口するように設けたので、湯張り時に第４接続口から流入した湯は、略９０向きを変える際に乱流となって第１弁体に向かう。第１弁体、その近辺の軸やバネなどに髪の毛が絡み付いていた場合、この乱流により髪の毛の絡みが取り払われる。
【００１５】
［３］前記注湯管は銅管であり、
前記第１接続口と前記第３接続口を繋ぐ経路の内側のうち、少なくとも前記第４接続口の正面になる部分は樹脂で形成されている
ことを特徴とする［２］に記載の風呂給湯器。
【００１６】
上記発明では、乱流が当たる箇所を樹脂とすることで、エロージョン・コロージョンが発生しない。
【００１７】
［４］前記風呂の追い焚き回路のうち浴槽に湯水を送り出すふろ往き管の途中に湯水の行き先を前記浴槽と所定の排水先とに切り替える第２切替弁を設け、
風呂の追い焚き時および湯張り時は、前記第１切替弁を前記第１第３連通状態にしかつ前記第２切替弁を浴槽側に設定し、
ドレンタンクからドレンを排出するときは前記第１切替弁を第１第２連通状態にしかつ前記第２切替弁を排水先側に設定して前記循環ポンプを作動させ、
ドレンの排出後は、前記第１切替弁を全閉状態にし前記第２切替弁を排水先側に設定して前記注湯管から前記第４接続口に湯水を送り込んで前記風呂の追い焚き回路を洗浄する
ことを特徴とする［２］または［３］に記載の風呂給湯器。
【００１８】
上記発明では、ふろ戻り管の途中に第１切替弁を設けることで、ドレンの排水および排水後の洗浄を行うことができる。
【００１９】
［５］前記第１切替弁は、
基端側がモータに接続されて回動可能な軸と、
前記軸の先端部に設けられた第１ストッパと、
前記第１ストッパから前記基端側へ所定距離を開けて前記軸に設けられた第２ストッパと、
前記第１ストッパと第２ストッパとの間の前記軸に挿通された第１弁体と、
前記第１弁体と前記第２ストッパの間の前記軸に挿通された第２弁体と、
前記第１弁体と第２弁体の間に設けられて前記第１弁体が前記第１ストッパに当接し前記第２弁体が前記第２ストッパに当接するように前記第１弁体と前記第２弁体を互いが離れるように付勢するバネと、
前記第２ストッパより前記基端側で前記軸を回動方向に応じて軸方向に進退するように保持する軸支部と、
前記第１弁体と前記第２弁体を内側に収納し、前記先端部側へ進出する第１弁体によって内側から閉鎖される第１開口と前記基端側へ後退する前記第２弁体によって内側から閉鎖される第２開口を、前記第１ストッパと前記第２ストッパとの間隔より狭い間隔で対向させて備える弁室と、
前記弁室に設けられた第３開口と、
前記第１開口から前記弁室の外側へ延設されて前記第１開口から進出する前記軸および前記第１ストッパを内包すると共に前記第３接続口に至る第３管路と、
前記第２開口から前記弁室の外側へ前記軸に沿って延設された管路であって前記軸支部を内側に保持し、前記軸支部より前記基端側へ延びる前記軸を貫通させて端部が封止され、側面に開設された開口が前記第２接続口に通じた本体管と、
前記第３開口から前記弁室の外側へ延設されて前記第１接続口に至る第１管路と、
を有し、
前記軸が所定の中間位置にあるとき前記第１弁体が前記第１開口を閉鎖しかつ前記第２弁体が前記第２開口を閉鎖して前記全閉状態となり、
前記軸が前記中間位置より前記先端部側へ進出したとき前記第２ストッパに押された前記第２弁体が前記第２開口から離れかつ前記第１弁体が前記第１開口を閉鎖して前記第１第２連通状態となり、
前記軸が前記中間位置より前記基端側へ後退したとき前記第１ストッパに押された前記第１弁体が前記第１開口から離れかつ前記第２弁体が前記第２開口を閉鎖して前記第１第３連通状態となる
ことを特徴とする［１］乃至［４］のいずれか１つに記載の風呂給湯器。
【００２０】
上記発明では、第１切替弁の構造を特定した。第１接続口と第２接続口を繋ぐ経路は、軸や軸支部の存在により髪の毛などが絡み易い構造になっている。
【００２１】
［６］前記弁室の前記第２開口が形成された側の壁は、前記弁室の他の部分から分離可能な壁部材で構成され、
前記壁部材は、前記第２開口が形成されると共に、前記第１弁体と第２弁体を取り付け済みの前記軸を前記先端部側から前記本体管の中へ挿入した後に前記端部から前記本体管の中へ挿入され、管内の突起に突き当たって前記第１開口側への移動が規制され、その後、前記端部側から前記第２開口の周囲の複数箇所を、前記封止時に前記端部側への移動が阻止された爪部材に押圧されて固定される
ことを特徴とする［５］に記載の風呂給湯器。
【００２２】
上記発明では、第１接続口と第２接続口を繋ぐ経路は、爪部の存在によりさらに髪の毛などが絡み易い構造になっている。
【発明の効果】
【００２３】
本発明に係る風呂給湯器によれば、ふろ戻り管の途中に設けた切替弁に浴槽から吸い込んだ髪の毛等の異物がが引っ掛かり難い。
【図面の簡単な説明】
【００２４】
【図１】本発明の実施の形態に係る風呂給湯器の構成例を示す図である。
【図２】第１切替弁の概略構成を示す断面図である。
【図３】ふろ戻り管を第２接続口に接続した為に髪の毛が絡み付いた第１切替弁を示す図である。
【図４】湯張り時に第４接続口から流入する湯が乱流を起こす様子を示す図である。
【図５】流れの方向の時々刻々の変化によって髪の毛の絡み付きが取れる様子を示す図である。
【発明を実施するための形態】
【００２５】
以下、図面に基づき本発明の実施の形態を説明する。
【００２６】
図１は、本発明の実施の形態に係る風呂給湯器の構成を示している。風呂給湯器１０は、給水を加熱して浴室内のシャワーや台所の水栓等へお湯を供給（出湯）する給湯機能、浴槽２へ湯を落とし込んで湯張りする注湯機能、浴槽２内の浴槽水を追い焚きして昇温する追い焚き機能、床暖房用の温水マットなどの低温放熱端末５や浴室乾燥機などの高温放熱端末７に湯水を循環させて暖房する暖房機能、などを備えている。また、浴槽２に設定温度の湯を設定水位になるように自動的に湯張りし、湯張り完了後は設定水位・設定温度が所定時間（たとえば、４時間）に渡って維持されるように追い焚き等を行う風呂の自動運転機能を備えている。
【００２７】
風呂給湯器１０は、燃焼ファン１１が送風する空気が下方から送り込まれ、上部に排気口１２が設けられた燃焼室１３を備えている。燃焼室１３内には、給湯用の第１バーナ１４と、追い焚き、暖房用の第２バーナ１５が設けてある。第１バーナ１４の上方には給湯用顕熱熱交換器１６が配置され、その下流に排気の潜熱を回収する給湯用潜熱熱交換器１７が配置されている。第２バーナ１５の上方には暖房用顕熱熱交換器１８が配置され、その下流に排気の潜熱を回収する暖房用潜熱熱交換器１９が配置されている。
【００２８】
給水元からの水が供給される給水管２１は、器内を延設されて給湯用潜熱熱交換器１７の入口に接続されている。給湯用潜熱熱交換器１７の出口は給湯用顕熱熱交換器１６の入口に接続され、給湯用顕熱熱交換器１６の出口にはシャワーヘッドや出湯栓に通じる給湯管２２が接続されている。給水管２１の途中の所定箇所と給湯管２２の途中の所定箇所とは給水バイパス管２３で接続されている。
【００２９】
給水バイパス管２３が分岐する箇所の給水管２１には、給水バイパス管２３に流す給水量を制御するバイパスサーボ２４が設けてある。また、バイパスサーボ２４の上流には給水管２１を流れる給水の量を調整（制限）するための水量サーボ２５、さらにその上流には給水管２１に流れる水量を検出する水量センサ２６が設けてある。給湯用顕熱熱交換器１６の出口近傍の給湯管２２には給湯用顕熱熱交換器１６から出る湯の温度を検出する給湯出口温度センサ２７が、また、給水バイパス管２３の合流箇所の下流の給湯管２２には給湯管２２から出湯される湯の温度を検出する出湯温度センサ２８が設けてある。
【００３０】
暖房系は、高温放熱端末７や低温放熱端末５に循環させる流体（循環水とする）を所定量溜める大気開放の容器であるシスターン３１を備えている。シスターン３１の出口は管路３２で暖房用循環ポンプ３３の入口に接続され、暖房用循環ポンプ３３の出口側の管路は、暖房用顕熱熱交換器１８の入口に通じる管路３４と、熱動弁ヘッダ３５の入口に通じる管路３６に分岐している。
【００３１】
熱動弁ヘッダ３５は入口から流入する流体を個別の熱動弁を介して複数の出口に分岐する機能を果たす。熱動弁は内部のヒータが通電されて温度が所定温度に上昇すると弁が開くものであり、ヒータへの通電のオン・オフと弁の開閉にはタイムラグが生じる。特に、熱動弁が冷えているときにはヒータに通電してから弁が開くまでに長い時間（１分ほど）を要する。
【００３２】
熱動弁ヘッダ３５を介することで低温回路を複数系統にすることができる。図では、熱動弁ヘッダ３５の一の出口に、低温放熱端末５の入口に通じる低温往き管３７が接続され、低温放熱端末５の出口は低温戻り管３８で集合ヘッダ３９の一の入口に接続されている。集合ヘッダ３９の出口は管路４１を通じて暖房用潜熱熱交換器１９の入口に接続され、暖房用潜熱熱交換器１９の出口は管路４２でシスターン３１に接続されている。
【００３３】
暖房用顕熱熱交換器１８の出口には、高温放熱端末７の入口に通じる高温往き管４３が接続されており、高温放熱端末７の出口に接続された高温戻り管４４は集合ヘッダ３９の他の一の入口に通じている。集合ヘッダ３９は、低温戻り管３８から温水と高温戻り管４４からの温水を混合して出口に出す機能を果たす。
【００３４】
高温往き管４３の途中で分岐したバイパス路４０は、流量制御型切替弁３０を介してシスターン３１に接続されている。詳細には、高温往き管４３から分岐したバイパス路４０は、流量制御型切替弁３０の第１接続口に接続され、流量制御型切替弁３０の第２接続口からシスターン３１に接続されている。流量制御型切替弁３０の第３接続口は管路４５を通じて水−水熱交換器であるふろ熱交換器４６の一次側の入口に接続されている。ふろ熱交換器４６の一次側の出口はに管路４７が接続され、該管路４７の他端は管路４１の途中に合流するように接続されている。
【００３５】
流量制御型切替弁３０は、第１接続口と第２接続口が連通して第３接続口が第１接続口および第２接続口と切り離された第１第２連通状態と、第１接続口と第３接続口が連通して第２接続口が第１接続口および第３接続口と切り離された第１第３連通状態と、第１接続口と第２接続口と第３接続口が互いに切り離されて閉鎖された全閉状態とに切り替え可能であって、各連通状態では弁の開度(流量)を多段階（連続的）に調整可能に構成されている。
【００３６】
風呂の追い焚き回路は、ふろ熱交換器４６の二次側の管路と、ふろ熱交換器４６の二次側の管路の入口から浴槽２の循環アダプタの浴槽水取込口３に至るふろ戻り管４８と、ふろ熱交換器４６の二次側の管路の出口から浴槽２の循環アダプタの浴槽水送出口４に至るふろ往き管５２とから構成される。
【００３７】
ふろ戻り管４８の途中には、浴槽水取込口３側から順に、第１切替弁８０と、ふろ循環ポンプ４９と、浴槽水の流れを検出する水流スイッチ５０が介挿されている。第１切替弁８０より浴槽水取込口３側のふろ戻り管４８は第１切替弁８０の第３接続口に接続され、ふろ循環ポンプ４９の吸い込み口に至る側のふろ戻り管４８は第１切替弁８０の第１接続口に接続されている。第１切替弁８０はさらに第２接続口と第４接続口を有し、第４接続口には後述する注湯連結管５５が接続され、第２接続口には後述するドレンの排水管６８が接続されている。
【００３８】
第１切替弁８０は、第１接続口と第４接続口は常に連通し、第２接続口と第３接続口との間は連通が常に遮断されている。第１切替弁８０は、第１接続口および第４接続口が第２接続口と連通しかつ第１接続口および第４接続口と第３接続口との連通が遮断された第１第２連通状態（第２接続口と第３接続口との連通も遮断）と、第１接続口および第４接続口と第３接続口が連通しかつ第１接続口および第４接続口と第２接続口との連通が遮断された第１第３連通状態（第２接続口と第３接続口との連通も遮断）と、第１接続口および第４接続口と第２接続口との連通が遮断されかつ第１接続口および第４接続口と第３接続口との連通が遮断された全閉状態（第２接続口と第３接続口との連通も遮断）とに切り替え可能であって、各連通状態では弁の開度(流量)を多段階（連続的）に調整可能に構成されている。
【００３９】
ふろ往き管５２の途中には第２切替弁５３が接続されている。第２切替弁５３の第１接続口にはふろ熱交換器４６の二次側の出口に至るふろ往き管５２が接続され、第２接続口には浴槽水送出口４に至るふろ往き管５２が接続され、第３接続口には所定の排出先に至るドレン排水管５４が接続されている。第２切替弁５３は、第１接続口から流入する湯水を浴槽２に送り出すかドレン排水管５４を通じて所定の排出先に排水するかを切り替える。
【００４０】
注湯連結管５５は、出湯温度センサ２８の下流で給湯管２２から分岐して前述の第１切替弁８０の第４接続口に接続されている。注湯連結管５５の途中には、逆止弁５６や注湯連結管５５を開閉する注湯電磁弁５７などが設けてある。また注湯連結管５５から分岐した補給路５８がシスターン３１に接続されており、補給路５８の終端近くに設けた補給水電磁弁５９および注湯電磁弁５７を開くとシスターン３１に湯水を補給することができる。シスターン３１には図示省略した水位センサが設けてあり、水位が低下すると上記の補給が行われる。
【００４１】
暖房用循環ポンプ３３の出口側で管路３４と管路３６に分岐する箇所にはその箇所を流れる温水（シスターン３１から暖房用循環ポンプ３３によって吸い出されて低温放熱端末５や暖房用顕熱熱交換器１８の入口に向かう温水）の温度を検出する暖房低温温度センサ６１が設けてある。暖房用顕熱熱交換器１８の出口近傍の高温往き管４３には暖房用顕熱熱交換器１８から出た温水の温度を検出する暖房高温温度センサ６２が設けてある。
【００４２】
ふろ戻り管４８の途中（ふろ循環ポンプ４９の吸い込み口近く）には浴槽２から戻って来る浴槽水の温度を検出するふろ戻り温度センサ６３が、ふろ往き管５２の途中にはふろ往き管５２を通じて浴槽２に向かう湯水の温度を検出するふろ往き温度センサ６４が設けてある。
【００４３】
給湯用潜熱熱交換器１７および暖房用潜熱熱交換器１９の下方には、バーナからの排気が給湯用潜熱熱交換器１７や暖房用潜熱熱交換器１９を通る際に該排気の水分が凝縮して生じる凝縮水（ドレン）を受け止めて回収するためのドレン回収皿６５が設けてあり、回収したドレンは中和器６６で中和されてドレンタンク６７に一時的に溜められる。ドレンタンク６７から延びる排水管６８は、逆止弁を介して第１切替弁８０の第２接続口に接続されている。
【００４４】
なお、通常（追い焚き時や注湯時）は、第１切替弁８０は第１第３連通状態に設定され、第２切替弁５３は第１接続口が浴槽水送出口４に通じる側（第１第２連通状態）に設定される。
【００４５】
燃焼ガスの供給経路は次の様になっている。燃焼ガスの供給元に通じるガス供給管７０の途中には、供給元からの燃焼ガスを遮断するか否かを切り替える元ガス電磁弁７１が設けられ、その下流には、供給する燃焼ガスの量を任意に調整するためのガス比例弁７２が設けてある。ガス供給管７０は、ガス比例弁７２の下流で分岐し、それぞれガス電磁弁を介して第１バーナ１４、第２バーナ１５に接続されている。
【００４６】
このほか、風呂給湯器１０は、当該風呂給湯器１０の動作を制御する制御部７３を備える。制御部７３はＣＰＵ（Central Processing Unit）、ＲＯＭ（Read Only Memory）、ＲＡＭ（Random Access Memory）などを主要部とする回路で構成され、ＲＯＭに格納されたプログラムに従ってＣＰＵが各種の処理を実行することで風呂給湯器１０としての動作が実現される。
【００４７】
制御部７３には、使用者から各種の設定や運転の指示を受ける機能、設定内容や運転状況を表示する機能等を備えたリモートコントローラ７４(リモコンと略称する)が通信線を介して接続される。
【００４８】
図２は、第１切替弁８０の概略構成を示している。同図（ａ）は第１第２連通状態を、同図（ｂ）は全閉状態を、同図（ｃ）は第１第３連通状態をそれぞれ示している。
【００４９】
第１切替弁８０は、基端側がモータに接続されて回動可能な制御軸８４を備えている。制御軸８４には先端部に第１ストッパ８５が設けられ、該第１ストッパ８５から基端側へ所定距離開けて第２ストッパ８６が設けられている。
【００５０】
第１ストッパ８５と第２ストッパ８６の間の制御軸８４には、第１接続口と第３接続口との連通・遮断を切り替えるための円錐台形状の第１弁体８１と、第１接続口と第２接続口との連通・遮断を切り替えるための円錐台形状の第２弁体８２が、底面を対向させ、かつ互いの間に互いを離れる方向に付勢するバネ８３を挟んで挿通されている。第１弁体８１と第２弁体８２は、自由状態では、互いの間がバネ８３によって広げられて、第１弁体８１が第１ストッパ８５に当接し、第２弁体８２が第２ストッパ８６に当接する。
【００５１】
第１切替弁８０は、第１弁体８１と第２弁体８２を内側に収納し、制御軸８４の先端部側へ進出する第１弁体８１によって内側から閉鎖される第１開口８７と、基端側へ後退する第２弁体８２によって内側から閉鎖される第２開口８８を、第１ストッパ８５と第２ストッパ８６との間隔より狭い間隔で対向させて備えた弁室９０を有する。弁室９０にはさらに第１開口８７と第２開口弁８８の間であって第１開口８７（あるいは第２開口８８）と直交する向きに開口した第３開口８９が設けてある。
【００５２】
第１切替弁８０はさらに、第１開口８７から弁室９０の外側へ延設されて第１開口８７から進出する制御軸８４や第１ストッパ８５を内包すると共にて第３接続口に至る第３管路９１と、第２開口８８から弁室９０の外側へ制御軸８４に沿って（制御軸８４を内側にして）真っ直ぐに延設された本体管９２と、第３開口８９から弁室９０の外側へ真っ直ぐに延設されて第１接続口に至る第１管路９３を有する。
【００５３】
第１管路９３の途中（第３開口８９から近い箇所）には該第１管路９３の側方または斜め側方に向けて第４接続口が開口されている。第１管路９３の内面のうち少なくとも第４接続口の正面になる部分は樹脂で形成されている。後述する乱流の当たる箇所すべてを樹脂で形成することが好ましい。本例では第１管路９３の内面すべてが樹脂で形成されている。
【００５４】
本体管９２の入口端（弁室９０と反対側の端部）は制御軸８４を貫通させて封止部材９５で封止される。また、本体管９２の中には制御軸８４を回動方向に応じて軸方向に進退可能に保持する軸受け部９７が固定される。本体管９２の側面には第２接続口に通じた開口が開設されている。
【００５５】
ここでは、円筒部材の入口端から所定範囲が本体管９２となっており、弁室９０は本体管９２よりさらに先の部分の円筒部材で構成される。弁室９０になる部分では本体管９２の部分より内径が僅かに小さくされており本体管９２と弁室９０の境界には段差が設けられている。なお、本体管９２と弁室９０の境界には段差に代えて内側に突起を設けてもよい。該円筒部材は弁室９０が終わる所でさらに小径に変化して第１開口８７を形成した後、少し直進してから９０度湾曲して終端が第３接続口になっている。
【００５６】
第１ストッパ８５と第２ストッパ８６の間にバネ８３を挟んだ第１弁体８１と第２弁体８２が取り付けられた状態の制御軸８４が、第１ストッパ８５側から該円筒部材（本体管９２）の中へ入口端から挿入された後、該本体管９２の内径を外径とする環状の弁体当接部材９４が本体管９２の中へ挿入される。円筒部材は本体管９２と弁室９０との境界で内径が僅かに小さくなって段差（突起）を有するので、弁体当接部材９４はこの段差（突起）に突き当たってそれ以上奥には行かない。弁体当接部材９４は弁室９０の一方の壁（第２開口８８のある側の壁）を構成し、環状の弁体当接部材９４の内側空間は第２開口８８になっている。
【００５７】
本体管９２には、弁体当接部材９４を挿入した後、さらに入口端から封止部材９５が挿入されて固定される。本体管９２の入口端はこの封止部材９５によって封鎖される。封止部材９５は、爪部９６と軸受け部９７と蓋部９８から構成される。爪部９６は所定間隔をあけて環状に配列された爪で構成され、第２開口８８の周囲の弁体当接部材９４に本体管９２の入口端側から当接して弁体当接部材９４を前述の段差（突起）に押し付ける。これにより、本体管９２の入口端方向への弁体当接部材９４の移動が阻止される。すなわち、弁体当接部材９４は前述の段差と爪部９６の爪に挟まれて位置決め固定される。
【００５８】
軸受け部９７は、制御軸８４をその回動方向に応じて軸方向に進退可能に支持する。蓋部９８は本体管９２の入口端を封鎖する蓋としての機能を果たす。制御軸８４の基端は蓋部９８を貫通して外部に出て図示省略のモータに接続される。
【００５９】
爪部９６と蓋部９８との間（軸受け部９７の箇所）に対応する箇所の本体管９２の側壁には開口が設けてあり、この開口は第２接続口に通じている。弁室９０は、環状の弁体当接部材９４の内側空間（第２開口８８）と爪部９６の爪と爪の間を介して第２接続口に通じことになる。
【００６０】
制御軸８４を所定方向に回動させて、図２（ａ）に示すように制御軸８４を第３管路９１の中へ進出させると、第１弁体８１は第１開口８７を封鎖して弁室９０と第３接続口との連通を遮断する。このとき第１ストッパ８５は第１弁体８１から離れて第１弁体８１のさらに奥まで進出している。第２弁体８２は、第２ストッパ８６に押されてバネ８３を押し縮めながら弁室９０の奥へと進んで弁体当接部材９４から離れ、弁体当接部材９４の第２開口８８と第２弁体８２との間に隙間が生じる。この隙間を通じて弁室９０と本体管９２との連通が確保されて第１接続口と第２接続口が連通する。
【００６１】
弁室９０は第３開口８９を介して第１管路９３と常に連通しているので、図２（ａ）に示す第１第２連通状態では、第１接続口および第４接続口と第２接続口が連通し、第１接続口および第４接続口と第３接続口との連通が遮断された第１第２連通状態（第２接続口と第３接続口との連通も遮断されている）になる。
【００６２】
図２（ａ）の状態から少しずつ制御軸８４を回動させて本体管９２の入口端側へ後退させると、制御軸８４の第２ストッパ８６と第１ストッパ８５が本体管９２の入口端側へ少しずつ移動する。第１ストッパ８５が第１弁体８１に当たるまでは第１弁体８１は第１開口８７を閉鎖した状態を維持し、第２弁体８２はバネ８３に押されて第２ストッパ８６と共に本体管９２の入口端側へ移動する。このため、第１弁体８１が第１開口８７を閉鎖したまま、第２弁体８２と弁体当接部材９４の第２開口８８との隙間が少しずつ狭くなる。すなわち、第１第２連通状態での弁の開度を調整することができる。
【００６３】
図２（ｂ）の状態まで制御軸８４を本体管９２の入口端側に後退させると、第１弁体８１が第１開口８７を閉鎖した状態のままで、第２弁体８２が弁体当接部材９４の第２開口８８に当接して第２開口８８を閉鎖し、第１接続口、第２接続口、第３接続口が互いに連通しない全閉状態になる。
【００６４】
図２（ｂ）の状態からさらに制御軸８４を本体管９２の入口端側に後退させると、第２弁体８２は弁体当接部材９４の第２開口８８を閉鎖したままで、第１ストッパ８５に押された第１弁体８１が本体管９２の入口端側に移動し、第１弁体８１が第１開口８７から離れる。これにより、第１接続口および第４接続口と第３接続口が連通しかつ第２接続口が閉鎖された第１第３連通状態になる。この場合も制御軸８４を本体管９２の入口端側にどの程度後退させるかにより、第１第３連通状態での弁の開度を調整することができる。
【００６５】
なお、第１切替弁８０は、図２に示す構造に限定されるものではない。
【００６６】
次に、風呂給湯器１０が行う給湯動作、注湯動作、暖房動作、追い焚き動作、ドレン排出動作について説明する。
【００６７】
＜給湯動作＞
出湯栓が開かれて水量センサ２６が通水を検出すると制御部７３は、燃焼ファン１１をオンし第１バーナ１４を点火して燃焼ガスを燃焼させる。給水元から流入する給水は、給湯用潜熱熱交換器１７および給湯用顕熱熱交換器１６を通る際に加熱昇温され、バイパスサーボ２４で調整された比率で給水バイパス管２３に分岐流入した給水と混合され、給湯設定温度の湯にされて出湯栓から出湯する。
【００６８】
＜注湯動作＞
注湯動作は、リモートコントローラ７４から、風呂の自動運転や注湯の指示を受けた場合に実行される。注湯動作では、制御部７３は、注湯電磁弁５７を開き、第１切替弁８０を第１第３連通状態に設定し、第２切替弁５３を風呂側に設定すると共に燃焼ファン１１を作動させ、第１バーナ１４を点火して燃焼ガスを燃焼させる。これにより、給湯動作と同様にして生成された湯が注湯連結管５５から第１切替弁８０の第４接続口を経てふろ戻り管４８に流れ込み、ふろ戻り管４８およびふろ往き管５２を通じて浴槽２に落とし込まれる。
【００６９】
＜暖房動作＞
低温放熱端末５や高温放熱端末７による暖房動作では、第２バーナ１５を燃焼させかつ暖房用循環ポンプ３３を作動させる。
【００７０】
（高温放熱端末７の単独運転）
高温放熱端末７の単独運転では、高温放熱端末７の熱動弁が開くまでは流量制御型切替弁３０を第１第２連通状態に設定し、熱動弁が開いた後は流量制御型切替弁３０を全閉状態に設定して暖房動作を行う。これにより、シスターン３１から出て管路３２、暖房用循環ポンプ３３、管路３４、暖房用顕熱熱交換器１８、高温往き管４３、高温放熱端末７、高温戻り管４４、集合ヘッダ３９、管路４１、暖房用潜熱熱交換器１９、管路４２を経由してシスターン３１に戻る高温回路に、第２バーナ１５で昇温された温水が循環する。
【００７１】
高温放熱運転の単独動作では、暖房高温温度センサ６２の検出する湯温が目標温度（たとえば、８０℃）になるように第２バーナ１５の燃焼量を制御する。
【００７２】
（高温放熱端末と低温放熱端末の同時運転）
高温放熱端末７を含む高温回路に温水を循環させる高温放熱運転と低温放熱端末５を含む低温回路に温水を循環させる低温放熱運転を同時実行する場合、熱動弁ヘッダ３５の該当する熱動弁（低温放熱端末５に通じる熱動弁）と高温放熱端末７の熱動弁に通電し、制御部７３は、流量制御型切替弁３０を第１第２連通状態に設定した後（もしくは設定と同時に）、暖房用循環ポンプ３３を駆動して第２バーナ１５を燃焼させる
熱動弁が開いた後は暖房高温温度センサ６２の検出する湯温が目標温度（たとえば、８０℃）になるように第２バーナ１５の燃焼量を制御し、暖房低温温度センサ６１の検出する湯温に応じて流量制御型切替弁３０の開度を調整する。
【００７３】
（低温放熱端末の単独運転）
低温放熱端末５の単独運転では、制御部７３は、熱動弁ヘッダ３５の該当する熱動弁（低温放熱端末５に通じる熱動弁）を開き、流量制御型切替弁３０は第１第２連通状態に設定した後（もしくは設定と同時に）暖房用循環ポンプ３３を駆動して、第２バーナ１５を燃焼させる。流量制御型切替弁３０の開度は低温放熱端末５からの戻り温度に基づいて調整する。燃焼量の制御は、低温放熱端末５への往き温度を基準に行う。すなわち、暖房低温温度センサ６１の検出する温水温度が目標温度（たとえば、６０℃）になるように第２バーナ１５の燃焼量等をフィードバック制御する。
【００７４】
当初は、低温放熱端末５やその周囲が冷えた状態なので、低温放熱端末５からの戻り温度は低くなるので、流量制御型切替弁３０を第１第２連通状態で全開にして、シスターン３１（低温回路を循環する温水）への熱の補給量を増やす。低温放熱端末５からの戻り温度が高くなってくると、流量制御型切替弁３０の開度を次第に絞る。
【００７５】
制御部７３は、上記制御での燃焼量の低下や室内温度センサの検出温度から、低温放熱端末５が暖房対象とする部屋等が十分暖まってきたことを認識すると、暖房用循環ポンプ３３の流量を下げて供給熱量を少なくする。このとき、上記フィードバック制御でハンチングが生じないように、暖房用循環ポンプ３３の流量を下げるほど第１第２連通状態での流量制御型切替弁３０の開度を大きくして、暖房用循環ポンプ３３から送り出された湯のうち暖房用顕熱熱交換器１８および流量制御型切替弁３０を通じてシスターン３１へ戻る湯の流量比が多くなるようにする。
【００７６】
これにより、暖房用循環ポンプ３３の流量を下げても、前述のフィードバック制御における伝達遅延（時定数）の増大が無く（もしくは少なく）なり、ハンチングの発生が防止される。そして、流量を下げることで低温放熱端末５へ供給する熱量が下がれば、低温放熱端末５からの戻り温度が低くなり、暖房用潜熱熱交換器１９での熱回収効率が改善される。
【００７７】
＜風呂の追い焚き動作＞
風呂の追い焚きは、風呂の自動運転の指示に基づいて前述の注湯動作が行われて設定水位に湯張りされた後、浴槽２内の浴槽水の温度を風呂設定温度まで昇温させるとき、あるいは、風呂の自動運転中に浴槽２内の湯水を風呂設定温度に維持するために昇温するとき、あるいは、使用者から追い焚きの指示を受けた場合に実行される。
【００７８】
風呂の追い焚き動作では、制御部７３は、流量制御型切替弁３０を第１第３連通状態で全開とし、暖房用循環ポンプ３３を駆動し、第２バーナ１５を燃焼させる。また、ふろ熱交換器４６の二次側の出側及び入側がそれぞれ浴槽２の浴槽水取込口３、浴槽水送出口４に通じるように流量制御型切替弁８０を第１第３連通状態とし、かつ第２切替弁５３を第１第２連通状態に設定してふろ循環ポンプ４９をオンにする。
【００７９】
これにより、浴槽２の浴槽水は、浴槽水取込口３から取り込まれ、ふろ戻り管４８、ふろ熱交換器４６の二次側、ふろ往き管５２を通じて浴槽水送出口４から浴槽２に戻る追い焚き二次回路を循環する。また、ふろ熱交換器４６の一次側では、循環水が、シスターン３１から管路３２、暖房用循環ポンプ３３、管路３４、暖房用顕熱熱交換器１８、高温往き管４３、第１第３連通状態の流量制御型切替弁３０、管路４５、ふろ熱交換器４６の一次側、管路４７、管路４１、暖房用潜熱熱交換器１９を通ってシスターン３１に戻る追い焚き一次回路を循環する。ふろ熱交換器４６の一次側を循環する循環水（温水）の熱がふろ熱交換器４６の二次側を循環する浴槽水に伝達して浴槽水が昇温する。追い焚き動作では、暖房高温温度センサ６２の検出する湯温が目標温度（たとえば、８０℃）になるように第２バーナ１５の燃焼量等を制御する。
【００８０】
風呂の追い焚き動作では、浴槽２の循環アダプタにフィルタを設けていても、髪の毛等の異物が浴槽水取込口３から吸い込まれて第１切替弁８０に到達する。仮に、浴槽水取込口３に通じるふろ戻り管４８を第１切替弁８０の第２接続口に繋いで第１切替弁８０を第１第２連通状態に設定して風呂の追い焚き動作を行うと、図３に示すように、第１接続口と第２接続口との間の経路の途中に、制御軸８４や爪部９６、軸受け部９７などが存在するため、これらに髪の毛が絡み付いてしまう。
【００８１】
これに対して本実施の形態の風呂給湯器１０では、浴槽水取込口３に通じるふろ戻り管４８を第１切替弁８０の第３接続口に繋いである。第１接続口と第３接続口との間の経路の途中には、爪部９６や軸受け部９７はなく、また第１第３連通状態では第１弁体８１に第１ストッパ８５が当接して第３管路９１の中に制御軸８４の先端や第１ストッパ８５が進出しないので、髪の毛等の異物の引っ掛かる箇所が少ない。したがって、浴槽水取込口３に通じるふろ戻り管４８を第１切替弁８０の第３接続口に接続することで、髪の毛等の引っ掛かりが低減される。
【００８２】
さらに本実施の形態では、仮に髪の毛等がバネ８３などに引っ掛かった場合でも、これが注湯動作時に除去されるようになっている。すなわち、図４に示すように、第１切替弁８０は、第１管路９３の側方（斜め側方でもよい）に向けて第４接続口を開口させているので、注湯動作時に第４接続口から第１管路９３に流れ込む湯は、弁室９０に至る直前で流れの向きが略９０度変わって乱流になる。この乱流の発生により、バネ８３等に絡み付いた髪の毛の絡みを取り去ることができる。
【００８３】
すなわち、図５（ａ）に示すように一定方向の流れ（Ａ）の場合や、常時、渦流であると、髪の毛はいつまでも軸等に絡み付いてとれない。しかし、フルード数で決まる層流、乱流ではなく、図５（ａ）のＡ方向と図５（ｂ）のＢ方向などに流れの方向が入り乱れる流れにすると（時々刻々変化すると）、髪の毛のたなびく方向が変わり、引っ掛かりが取れる。図４では第１弁体８１と第２弁体８２の間の制御軸８４のあたりで流れの方向が入り乱れて、髪の毛の引っ掛かりが取れる。
【００８４】
なお、第１管路９３の内側（第４接続口の正面、上記の乱流が当たる箇所）は樹脂で形成されているので、乱流が発生してもエロージョン・コロージョンは生じない。
【００８５】
＜ドレンの排出動作＞
ドレンの排出動作はドレンタンク６７内の水位が一定以上になった場合に実施される。ドレンの排出動作では、第１切替弁８０を第１第２連通状態とし、第２切替弁５３をドレン排水管５４側とした状態でふろ循環ポンプ４９を作動させる。これによりドレンタンク６７内のドレンが排水管６８、第１切替弁８０、ふろ循環ポンプ４９、ふろ熱交換器４６の二次側管路、ふろ往き管５２、第２切替弁５３、ドレン排水管５４を通じて外部に排水される。
【００８６】
排水後は、上記ドレンの排出経路を洗浄する洗浄動作を行う。具体的には、第１切替弁８０を全閉状態に切り替え、第２切替弁５３をドレン排水管５４側としたままで注湯電磁弁５７を開いて注湯する。これにより、きれいな湯が注湯連結管５５から第１切替弁８０の第４接続口、第１接続口を経てふろ戻り管４８に入り、ふろ循環ポンプ４９、ふろ熱交換器４６の二次側管路、ふろ往き管５２、第２切替弁５３、ドレン排水管５４を通じて流れる。これにより、先ほどドレンを排出した管路が洗浄される。
【００８７】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８８】
実施の形態では、暖房系を備えた風呂給湯器１０を例示したが、暖房機能は無くてもよい。たとえば、追い焚き回路を流れる湯水を暖房用顕熱熱交換器１８、暖房用潜熱熱交換器１９で直接加熱するように構成されてもかまわない。
【符号の説明】
【００８９】
２…浴槽
３…浴槽水取込口
４…浴槽水送出口
５…低温放熱端末
７…高温放熱端末
１０…風呂給湯器
１１…燃焼ファン
１２…排気口
１３…燃焼室
１４…第１バーナ
１５…第２バーナ
１６…給湯用顕熱熱交換器
１７…給湯用潜熱熱交換器
１８…暖房用顕熱熱交換器
１９…暖房用潜熱熱交換器
２１…給水管
２２…給湯管
２３…給水バイパス管
２４…バイパスサーボ
２６…水量センサ
２７…給湯出口温度センサ
２８…出湯温度センサ
３０…流量制御型切替弁
３１…シスターン
３２…管路（シスターンから暖房用循環ポンプまで）
３３…暖房用循環ポンプ
３４…管路（循環ポンプ下流の分岐箇所から暖房用顕熱熱交換器の入口まで）
３５…熱動弁ヘッダ
３６…管路（循環ポンプ下流の分岐箇所から熱動弁ヘッダまで）
３７…低温往き管
３８…低温戻り管
３９…集合ヘッダ
４０…バイパス路
４１…管路（集合ヘッダ出口から暖房用潜熱熱交換器１９の入口までの）
４２…管路（暖房用潜熱熱交換器の出口からシスターンまで）
４３…高温往き管
４４…高温戻り管
４５…管路（流量制御型切替弁の第３接続口からふろ熱交換器一次側の入口まで）
４６…ふろ熱交換器
４７…管路（ふろ熱交換器一次側出口から管路４１に合流するまで）
４８…ふろ戻り管
４９…ふろ循環ポンプ
５０…水流スイッチ
５２…ふろ往き管
５３…第２切替弁
５４…ドレン排水管
５５…注湯連結管
５６…逆止弁
５７…注湯電磁弁
５８…補給路
５９…補給水電磁弁
６１…暖房低温温度センサ
６２…暖房高温温度センサ
６３…ふろ戻り温度センサ
６４…ふろ往き温度センサ
６５…ドレン回収皿
６６…中和器
６７…ドレンタンク
６８…排水管
７０…ガス供給管
７１…元ガス電磁弁
７２…ガス比例弁
７３…制御部
７４…リモートコントローラ
８０…第１切替弁
８１…第１弁体
８２…第２弁体
８３…バネ
８４…制御軸
８５…第１ストッパ
８６…第２ストッパ
８７…第１開口
８８…第２開口
８９…第３開口
９０…弁室
９１…第３管路
９２…本体管
９３…第１管路
９４…弁体当接部材
９５…封止部材
９６…爪部
９７…軸受け部
９８…蓋部
【図１】
2019066144.tif 000003
【図２】
2019066144.tif 000004
【図３】
2019066144.tif 000005
【図４】
2019066144.tif 000006
【図５】
2019066144.tif 000007